(57)【要約】【課題】独立する複数の入力信号を切り換え出力する信号処理装置は、構成が複雑で高価であった。【解決手段】第１信号入力手段１０１及び第２信号入力手段１０２から入力した第１信号及び第２信号を、第１圧縮手段１０５及び第２圧縮手段１０６で圧縮し、ユーザの指示により出力新語切換手段１０８を介して入力信号切換スイッチ１０９で入力信号を切換出力手段１０７に出力する装置において、第１信号及び第２信号それぞれから第１クロック抽出手段１０３及び第２クロック抽出手段１０４でクロックを抽出し、入力信号切換スイッチ１０９に連動したクロック信号切換スイッチ１１０で切り換えると共に、クロック位相比較手段１１１でクロックを比較し、切り換えた信号にて記したクロックにより出力信号を信号合成手段１１２で合成する。【選択図】図１
2006042109.tif 000002
【特許請求の範囲】
【請求項１】
相独立する複数の入力信号を並列に入力する複数の入力手段と、前記複数の入力信号それぞれのクロック信号を独立に抽出する複数のクロック抽出手段と、前記複数の入力信号の内から１つの入力信号を選択する入力信号選択手段と、前記入力信号選択手段で選択された当該１つの入力信号を出力する出力手段とを備え、
前記入力信号選択手段が選択した当該１つの入力信号の位相に同期するクロックを選択するクロック選択手段と、前記クロック選択手段による選択前のクロックの位相から当該クロック選択手段により選択した当該クロックの位相に合わせるクロック位相比較手段とを備えることを特徴とする信号処理装置。
【発明の詳細な説明】
【技術分野】
【０００１】
本発明は相独立する２入力以上の複数の入力信号を、随時切り換え出力する信号処理装置に関する。
【背景技術】
【０００２】
従来、テレビ放送局から放映される番組を録画することができる装置としてＶＴＲ（ビデオテープレコーダ）が知られている。一般に広く普及している。一般的にＶＴＲに録画できる番組は１つであり、２以上の複数の番組を同時に録画するには、録画しようする番組の数だけＶＴＲが必要となっていた。
【０００３】
また最近では、アナログ入力映像信号をデジタル映像信号に変換し、複数の番組を同時に記録する情報記録装置が特許文献１で提案されている。特許文献１には、図５に示すように第１アナログ映像情報５０１と第２アナログ映像信号５０２とをそれぞれ第１Ａ／Ｄ変換器５０３及び第２Ａ／Ｄ変換器５０４でディジタル変換した後、第１ＭＰＥＧエンコーダ５０５及び第２ＭＰＥＧエンコーダ５０６でそれぞれＭＰＥＧ圧縮したデジタル映像信号を、光ディスク装置５０７に記録し、当該光ディスク装置５０７に記録したデジタル映像をＭＰＥＧデコーダ５０８で復号し、Ｄ／Ａ変換器５０９を介してアナログ映像信号に変換した後、表示器５１０に表示する構成が開示されている。
【特許文献１】特開２０００−１１３５９０号公報
【発明の開示】
【発明が解決しようとする課題】
【０００４】
近年衛星放送等のソースの多様化、ハードディスクや記録型光ディスク（いわゆるＤＶＤ＋ＲやＤＶＤ−Ｒと称される追記型記録ＤＶＤ、いわゆるＤＶＤ＋ＲＷ、ＤＶＤ−ＲＷまたはＤＶＤ−ＲＡＭと称される書換可能型ＤＶＤ等）の大容量記憶装置の普及に伴い、図５のような第１アナログ映像信号５０１及び第２アナログ映像信号５０２を一旦光ディスク装置５０７に保存したディジタル映像を表示器５１０で視認するだけではなく、例えば光ディスク装置５０７に記録している映像の受信状態を確認する要望、または光ディスク装置５０７に記録した映像信号と光ディスク装置５０７に現在記録している第１のアナログ映像信号５０１間他は第２のアナログ映像信号５０２の何れかとの画質を確認する等の要望がある。換言すると、光ディスク装置５０７に記録している第１アナログ映像信号５０１及び／または第２アナログ映像信号５０２の映像をリアルタイムで表示器５１０で視認したいという要望がある。この要望を満足するためには、光ディスク装置５０７、第１ＭＰＥＧエンコーダ５０５及び第２ＭＰＥＧエンコーダ５０６とＭＰＥＧデコーダ５０８との間に不図示のスイッチを備える構成により一見達成できると思われる。しかしながら、単にスイッチによるデジタル映像信号の切換では表示器５１０で視認する映像に乱れが生じる場合がある。この映像の乱れは、第１アナログ映像信号５０１を第１Ａ／Ｄ変換器５０３でデジタル化する際の位相と、第２アナログ映像信号５０２を第２Ａ／Ｄ変換器５０４でデジタル化する際の位相とが一致していないため、映像ソースを切り換えるだけではＭＰＥＧデコーダ５０８による復調及びＤ／Ａ変換器５０９によるアナログ映像信号化の際に当該位相ずれの影響で表示器５１０での位相ずれを来たし、映像が破綻するためである。
【０００５】
この課題を解消するためには、図６に示したように、第１アナログ映像信号６０１及び第２アナログ映像信号６０２それぞれをディジタル化する第１Ａ／Ｄ変換器６０３と第２Ａ／Ｄ変換器６０４を介した後、第１ＭＰＥＧエンコーダ６０５及び第２ＭＰＥＧエンコーダ６０６でそれぞれ圧縮したデジタル圧縮信号を並列に光ディスク装置６１３に保存し光ディスク装置６１３に保存したデジタル圧縮映像信号を第３ＭＰＥＧデコーダ６１４及び第３Ｄ／Ａ変換器６１５を介して表示器６１１で表示する一方、第１ＭＰＥＧエンコーダ６０５のデジタル圧縮映像信号を第１ＭＰＥＧデコーダ６０７及び第１Ｄ／Ａ変換器６０９を介して表示器６１１で表示し、さらに第２ＭＰＥＧエンコーダ６０６のデジタル圧縮映像信号を第２ＭＰＥＧデコーダ６０８及び第２Ｄ／Ａ変換器６１０を介して表示器６１１で表示する構成を採用する必要がある。なお、各Ｄ／Ａ変換器（６０９、６１０及び６１５）と表示器６１１との間に映像切り返す一致６１２を備える。
【０００６】
このように図６の構成を採用すると、特許文献１に開示の構成に加え上述の新たな要望にも対応できるが、その一方で近年光ディスク装置の価格競争が激化しているため、ＭＰＥＧデコーダ及びＤ／Ａ変換器の数を減少させ低価格にすることもユーザの強い要請である。
【０００７】
本発明は並列に転送している入力信号を切り換える際、出力信号の乱れなくすることができる装置を安価に提供することを目的とする。
【課題を解決するための手段】
【０００８】
上記課題を解決するために、本発明の信号処理装置は、相独立する複数の入力信号を並列に入力する複数の入力手段と、前記複数の入力信号それぞれのクロック信号を独立に抽出する複数のクロック抽出手段と、前記複数の入力信号の内から１つの入力信号を選択する入力信号選択手段と、前記入力信号選択手段で選択された当該１つの入力信号を出力する出力手段とを備え、前記入力信号選択手段が選択した当該１つの入力信号の位相に同期するクロックを選択するクロック選択手段と、前記クロック選択手段による選択前のクロックの位相から当該クロック選択手段により選択した当該クロックの位相に合わせるクロック位相比較手段とを備える構成である。
【発明の効果】
【０００９】
本発明の信号処理装置によれば、複数の入力信号の内１つの入力信号を出力し、途中で他の入力信号に切り換え出力できる構成を極めて単純な回路構成で成し得るため、安価にすることができる。また、入力信号の切換に際して、当該入力信号に合致したクロック位相を速やかに合わせ、当該クロック位相に基づき入力信号を出力処理するため、高品質の出力信号が得られる。
【発明を実施するための最良の形態】
【００１０】
次に、本発明の信号処理装置における最良の実施形態を、入力信号が２種類の場合を例に挙げ説明するが、３種以上であっても適用できること勿論である。また、本発明の信号処理装置は、デジタル化した信号またはデジタル信号をアナログ信号で出力する装置であれば信号の種類はデータ信号、映像信号または音声信号等何れでも適用可能であるが、入出力信号として映像信号を考慮した実施形態で説明する。
【００１１】
図１は、本発明の信号処理装置の一実施形態を示す要部ブロック回路図である。１０１及び１０２はそれぞれ第１信号入力手段及び第２信号入力手段、１０３及び１０４は第１信号入力手段１０１及び第２信号入力手段１０２から入力される第１信号と第２信号とのそれぞれのクロックを抽出する第１クロック抽出手段と第２クロック抽出手段である。１０５及び１０６は第１信号入力手段１０１と第２信号入力手段１０２から入力された第１信号及び第２信号をそれぞれ圧縮する第１圧縮手段と第２圧縮手段であり、１０７は第１信号入力手段１０１から入力された第１信号または第２信号入力手段１０２から入力された第２信号を出力する出力手段である。１０８は出力手段１０７に出力する第１信号入力手段１０１から入力された第１信号と第２信号入力手段１０２から入力された第２信号とを例えばユーザの好みで切り換える出力信号切換手段で、１０９は第１圧縮手段１０５で圧縮された圧縮信号及び第２圧縮手段１０６で圧縮された圧縮信号を出力信号切換手段１０８の指令に基づき切り換える入力信号切換スイッチであり、１１０は第１クロック抽出手段１０３が抽出したクロック信号及び第２クロック抽出手段１０４が抽出したクロック信号を出力信号切換手段１０８の指令に基づき切り換えるクロック信号切換スイッチであり、１１１はクロック位相比較手段、１１２は信号合成手段である。
【００１２】
上述の構成要素相互の働きについて説明する。第１信号入力手段１０１から入力した第１信号及び第２信号入力手段１０２から入力した第２信号は、それぞれ並列に第１圧縮手段１０５及び第２圧縮手段１０６で圧縮され第１デジタル圧縮信号及び第２デジタル圧縮信号を生成し、入力信号切換スイッチ１０９に並列に第１デジタル圧縮信号及び第２デジタル圧縮信号を出力する。入力信号切換スイッチ１０９は、ユーザの指示に基づき出力信号切換手段１０８の指令で並列に入力した２つのデジタル圧縮信号の何れかを切り換える（図では、第１デジタル圧縮信号から第２デジタル圧縮信号を選択）。入力信号切換スイッチ１０９で切り換えられた入力信号（図では第２信号）は、出力手段１０７で出力するフォーマットに合わせるため信号合成手段１１２に出力する。出力手段１０７は信号合成手段１１２で合成したフォーマットを有する出力信号を出力する。但し、信号構成手段１１２で合成するフォーマットとは、デジタル圧縮信号の場合には、圧縮信号を解凍する解凍手段、及びデジタル信号をアナログ信号に変換するＤ／Ａ変換手段等を含む。
【００１３】
一方、第１信号入力手段１０１から入力した第１信号及び第２信号入力手段１０２から入力した第２信号それぞれが持つクロックを、第１クロック抽出手段１０３及び第２クロック抽出手段１０４で抽出する。抽出したそれぞれの第１クロック及び第２クロックは、入力信号切換スイッチ１０９と同じように、ユーザの指示に基づき出力信号切換手段１０８に指令により、クロック信号切換スイッチ１１０で切り換える（図では、第１クロックから第２クロックを選択）。ところで、第１信号と第２信号とはそれぞれ相独立しているため、例えば相異なる放送局から受信する映像信号等に見受けられるように、第１クロック信号と第２クロックとは殆どの場合位相が異なる。そこで信号構成手段１１２でデジタル圧縮信号を出力手段１０７に出力できるフォーマットに変換する際に、例えばデジタル圧縮信号を解凍する際、デジタル信号を時系列に並べ換える際、及びデジタル信号をアナログ信号に変換する際には、当該デジタル圧縮信号のクロックに基づき操作しなければ、位相の相違やクロック周期の相違等に起因して操作に破綻を来たし出力手段１０７から出力する信号品質が著しく損なわれるため、クロック信号切換スイッチ１１０が切り換える前のクロック位相から切り換えた後のクロック位相に滑らかかつ迅速に合わせ込むことが必須である。このクロック位相を比較し切換前のクロックの位相から切換後のクロック位相に合わせ込むクロック位相比較手段１１１を備えるため、出力手段１０７から出力した信号品質を高めることができる。なお、クロック位相比較手段１１１は、例えば、第１信号から第２信号に切り換える際は、第１クロック抽出手段１０３のクロック周期を第２クロック抽出手段１０４で得られた周期に基づく逓倍（例えば２逓倍）する等の構成で、切り換えた直後の位相を、切り換え前（本例では第１クロックの位相）から切り換え後（本例では第２クロックの位相）に滑らかかつ速やかに近付け、信号合成手段１１２で合成する出力信号の信号品質に破綻（映像信号であれば表示画像に乱れが生じ、音声信号であれば不要なノイズが生じる等）を来すことを撲滅する機能を有する。
【００１４】
以上のように、図１に示した信号処理装置によれば、相独立する複数の入力信号を入力信号切換スイッチ１０９で切り換え出力手段１０７に出力する構成において、従来技術で必須とされる入力信号数の解凍手段及びＤ／Ａ変換手段等の回路を１つに共通化できるため、部品点数が減少し装置コストを安価にできる効果がある。
【００１５】
次に、図１を引用して説明した信号処理装置の構成からより回路数を減少できる実施形態について図２を参照して説明する。図２において、２０１及び２０２は第１信号及び第２信号をそれぞれ入力する第１新語入力手段及び第２信号入力手段で、図１の１０１及び１０２と同一である。２０３及び２０４は第１信号及び第２審号それぞれのクロックを独立かつ並列に抽出する第１クロック抽出手段及び第２クロック抽出手段で、図１における１０３及び１０４と同一である。また、２０６は出力信号切換手段、２０７は入力信号切換スイッチ、２０８はクロック信号切換スイッチ、２０９はクロック位相比較手段、２０５は出力手段で、それぞれ図１における１０８、１０９、１１０、１１１及び１０７と同一である。図１の構成と異なる点は、図１では第１圧縮手段１０５及び第２圧縮手段１０６を介したデジタル圧縮信号を入力切換スイッチ１０９で切り換える構成であったが、当該それぞれの圧縮手段を省略し、圧縮前の信号の第１信号と第２信号とを入力切換スイッチ２０７で切り換える点と、当該圧縮手段を省略したことで信号合成手段２１０に解凍手段を省略した点である。
【００１６】
上記の通り信号合成手段２１０の構成は異なるが、第１信号または第２信号を出力手段２０５に出力するフォーマットに変換する機能は同様であるが、圧縮手段を介さないため出力手段２０５から出力する信号品質は図１の構成より高品質が期待されると共に、圧縮手段を省略したことで圧縮に要する時間も省略できるためよりリアルタイムで選択された信号を出力できる効果がある。
【００１７】
次に、相独立する複数のアナログ信号を入力し、ハードディスク及び／または光ディスク等の外部記憶手段に並列に記憶すると同時に、外部記憶手段に記憶している複数のアナログ信号を切り換えて表示する一実施形態について、図３を参照して説明する。
【００１８】
図３において、３０１及び３０２は相独立した第１アナログ信号及び第２アナログ新語を入力する第１アナログ信号入力部と第２アナログ信号入力部である。３０７及び３０８は第１アナログ信号と第２アナログ信号をそれぞれアナログ・デジタル変換する第１のＡ／Ｄ変換器と第２Ａ／Ｄ変換器である。３０９及び３１０は第１アナログ信号及び第２アナログ信号をデジタル化した第１デジタル信号と第２デジタル信号とをそれぞれＭＰＥＧ圧縮する第１ＭＰＥＧエンコーダ及び第２ＭＰＥＧエンコーダである。３１１は第１デジタル信号を第１ＭＰＥＧエンコーダ３０９で圧縮した第１デジタル圧縮信号及び第２デジタル信号を第２ＭＰＥＧエンコーダ３１０で圧縮した第２デジタル圧縮信号を記憶する外部記憶手段である。３１２は外部記憶手段３１１に記憶した信号を解凍するＭＰＥＧデコーダで、後述する第１アナログ信号または第２アナログ信号のクロックに基づきＭＰＥＧ解凍する。３０３及び３０４は第１アナログ信号及び第２アナログ信号の同期信号を分離する第１同期信号分離器及び第２同期信号分離器であり、３０５及び３０６は分離された第１同期信号及び第２同期信号それぞれの位相に同期したクロック信号にする第１ＰＬＬと第２ＰＬＬであり、第１同期分離器３０３と第１ＰＬＬ３０５との組み合わせ及び第２同期分離器３０４と第２ＰＬＬ３０６との組み合わせは従来提案されているため詳細は割愛する。３１７は出力信号切換器３１６を介してユーザが表示したい要求に応じた指令に基づき、外部記録手段３１１に記憶したデジタル圧縮信号、第１デジタル信号または第２デジタル信号の何れか１つを切り換える入力信号切換スイッチで、出力信号切換器３１６からの指令はクロック信号切換スイッチ３１８にも同様に出される。３１３はデジタル信号を時系列に並べ換えるデジタル信号合成器、３１４はデジタル信号をアナログ信号に変換するＤ／Ａ変換器である。また、３１９はクロック位相比較器で、上述した１１１及び２０９と同じ構成及び機能を有する。
【００１９】
図３で新たに付加した構成は外部記憶手段３１１であるが、第１アナログ信号及び第２アナログ信号が共にアナログ映像信号とすると、第１アナログ信号入力部３０１・第１ＡＤ変換器３０７・第１ＭＰＥＧエンコーダ３０９、及び第２アナログ信号入力部３０２・第２Ａ／Ｄ変換器３０８・第２ＭＰＥＧエンコーダ３１０それぞれから外部記憶手段３１１への経路は、特許文献１の図１に開示の経路と同様である。また、ユーザからの切換要求が出力信号切換器３１６を介して指令を入力信号切換スイッチ３１７及びクロック信号切換スイッチ３１８に与え、入力信号切換スイッチ３１７が選択した入力信号に対応するクロック信号を用いＭＰＥＧデコーダ３１２で解凍、デジタル信号合成器３１３でデジタル出力信号を合成、及びＤ／Ａ変換器３１４でアナログ信号に変換するために、クロック位相比較器３１９を備える構成は、図１または２と同様である。従って、本実施形態のおける信号処理回路も、先に述べた実施形態と同様の表示器３１５に表示される信号品質は高く保たれると同時に、ＭＰＥＧデコーダ３１２及びＤ／Ａ変換器３１４等の回路を低減することができるため、例えばハードディスク及び／または光ディスクを備えた番組を録画することができるレコーダを安価にすることができる。
【００２０】
なお、図では第１アナログ信号を選択した場合を示しているが、外部記憶手段３１１からのデジタル圧縮信号を入力信号切換スイッチ３１７が選択することもできる。この場合外部記憶手段３１１から表示器３１５で表示するデジタル圧縮信号が、第１アナログ信号か第２アナログ信号かを選択する不図示の選択スイッチを備えると、図示したように入力信号切換スイッチ３１７は３点切換で構成できるが、外部記憶手段３１１からのデジタル圧縮信号の選択スイッチを備えない場合には、４点切換にすることでも対応できる。このように入力信号切換スイッチ３１７が選択した信号に応じてクロック切換スイッチ３１８がクロック信号を選択し、クロック位相比較器３１９で選択前のクロック位相から選択後のクロック位相に合わせることで対応できる。すなわち、本実施形態では、入力信号切換スイッチ３１７は外部記憶手段３１１に記憶しているデジタル圧縮信号も含めて選択できるが、クロック切換スイッチ３１８は入力信号の数（本実施形態では２つ）のみの選択により、選択した入力信号に応じたクロックに基づくクロック位相比較することで、高品質の出力信号を保証する信号が合成できる。
【００２１】
なお、本実施形態では第１アナログ信号及び第２アナログ信号の何れかを入力信号選択スイッチ３１７が選択したときは、ＭＰＥＧエンコーダで圧縮前の信号を供する構成であるが、図１で説明したようにそれぞれＭＰＥＧエンコーダを介したデジタル圧縮信号を選択する構成であっても、装置構成自体は殆ど変化無く適用でき、信号切換に伴う課題の克服も同様であるが、図１と図２との比較で述べたように、表示器３１５に表示する新語品質の点及びリアルタイム性の点では図３の方が好ましい。
【００２２】
次に、アナログ信号とデジタル信号とが並列に入力される場合についての実施形態を、図４を参照して説明する。図において、４０１はアナログ信号を入力するアナログ信号入力部、４０７はデジタル信号を入力するデジタル信号入力部である。アナログ信号に対しては、図３で説明したように、デジタル信号に変換するＡＤ変換器４０４、デジタル化された信号を圧縮する第１ＭＰＥＧエンコーダ４０５、アナログ信号から同期信号を分離する同期分離器４０２、及び同期信号の位相のクロック信号にするＰＬＬを備える。また、デジタル信号は第２ＭＰＥＧエンコーダで圧縮すると共に、周知の構成でデジタル信号のクロックをクロック抽出器４０８で抽出する。また、図３と同様に第１ＭＰＥＧエンコーダ４０５及び第２ＭＰＥＧエンコーダ４０９でそれぞれ圧縮されたデジタル圧縮信号は、ハードディスク及び／または光ディスク等の外部記憶手段４０６に記憶される。外部記憶手段４０６で記憶しているデジタル圧縮信号を表示器４１３で表示するため、ＭＰＥＧデコーダ４０９で解凍する。その他入力信号切換スイッチ４１０、クロック信号切換スイッチ４１４、出力信号切換器４１６、クロック位相比較器４１５、デジタル信号合成器４１１、Ｄ／Ａ変換器４１２の構成及び相互の作用は図３と同一である。
【００２３】
このように本発明の信号処理装置は、アナログ信号のみならずデジタル信号を入力する構成でも同様に、出力信号品質の劣化（映像信号を入力し表示する場合は画質劣化、画像破綻、画像中断等）を完璧に抑制しながら、回露店数の削減による安価な装置を提供することができる。なお、本実施形態では、アナログ信号とデジタル信号とをそれぞれ独立した入力部としたが、１つの入力部にアナログ信号とデジタル信号とに対応する入力部とすることも可能で、当該構成の場合には入力部にデジタルかアナログかを判定する判定手段を備えるだけで、後は図４に示したアナログ信号に対してはアナログ経路を、デジタル信号に対してはデジタル経路を採ることで、上述した本発明の作用効果を維持しながら、例えば２入力部で４チャンネルに対応可能の構成も可能である。
【産業上の利用可能性】
【００２４】
本発明の信号処理装置は、独立した複数の信号を並行に入力している入力信号を随時切り換え出力できると共に、当該出力信号の信号品質劣化を抑制できるため、例えばハードディスクレコーダ、半導体メモリ搭載レコーダ、光ディスクレコーダ等への応用に顕著な効果が期待できる。
【図面の簡単な説明】
【００２５】
【図１】本発明の情報処理装置の一実施形態の構成を示す要部ブロック図
【図２】本発明の情報処理装置の他の実施形態の構成を示す要部ブロック図
【図３】本発明の情報処理装置の別の実施形態の構成を示す要部ブロック図
【図４】本発明の情報処理装置の他の実施形態の構成を示す要部ブロック図
【図５】従来の情報処理装置における要部構成を示すブロック図
【図６】従来の情報処理装置を応用した一形態を示す要部ブロック図
【符号の説明】
【００２６】
１０１  第１信号入力手段
１０２  第２信号入力手段
１０３  第１クロック抽出手段
１０４  第２クロック抽出手段
１０５  第１圧縮手段
１０６  第２圧縮手段
１０７  出力手段
１０８  出力信号切換手段
１０９  入力信号切換スイッチ
１１０  クロック信号切換スイッチ
１１１  クロック位相比較手段
１１２  信号合成手段
【図１】
2006042109.tif 000003
【図２】
2006042109.tif 000004
【図３】
2006042109.tif 000005
【図４】
2006042109.tif 000006
【図５】
2006042109.tif 000007
【図６】
2006042109.tif 000008